(57)【要約】【課題】  連続する光のバースト信号を電気信号に確実に変換して出力すること。【解決手段】  受光装置１１０は、受光した光のバースト信号を電気信号に変換して出力するとともに、受光した光の強度に基づき光のバースト信号の終了を検出する受光部１１１と、受光部１１１により光のバースト信号の終了が検出されることに応じて受光部１１１が出力する電気信号からノイズを除去するために受光部１１１をリセットするリセット部１１２とを備える。【選択図】        図２
2005236414.tif 000002
【特許請求の範囲】
【請求項１】
受光した光のバースト信号を電気信号に変換して出力するとともに、受光した光の強度に基づき光のバースト信号の終了を検出する受光手段と、
前記受光手段により光のバースト信号の終了が検出されることに応じて、前記受光手段をリセットするリセット手段とを備えた、受光装置。
【請求項２】
前記リセット手段は、前記受光手段が出力する電気信号からノイズを除去する、請求項１に記載の受光装置。
【請求項３】
受光した光のバースト信号を電気信号に変換して出力し、受光した光の強度に基づき光のバースト信号の開始を検出してバースト信号検知信号を出力する受光手段と、
リセット信号が与えられると前記受光手段をリセットするリセット手段とを含む受光装置と、
前記受光装置からバースト信号検知信号が受信されてから所定の期間経過後に前記受光装置にリセット信号を与える制御手段とを備える、局側装置。
【請求項４】
受光した光のバースト信号を電気信号に変換して出力するとともに、受光した光の強度に基づき光のバースト信号の終了を検出してバースト信号検知信号を出力する受光手段と、
リセット信号が与えられると前記受光手段をリセットするリセット手段とを含む受光装置と、
前記受光装置からバースト信号検知信号が受信されると直ちに前記受光装置にリセット信号を与える制御手段とを備える、局側装置。
【請求項５】
前記局側装置は、複数の通信端末と光ファイバを介してパッシブダブルスター方式で接続され、
前記複数の通信端末と前記局側装置との通信プロトコルの切換えを制御するための通信制御手段をさらに備え、
前記制御手段は、前記通信制御手段により所定の通信プロトコルに切換えたことが検出されることをさらに条件として、前記受光装置にリセット信号を与える、請求項３または４に記載の局側装置。
【請求項６】
前記所定の通信プロトコルは、前記局側装置と前記複数の通信端末の少なくとも１つとの間の通信を確立する開局処理に用いられる通信プロトコルである、請求項５に記載の局側装置。
【請求項７】
前記局側装置は、複数の通信端末と光ファイバを介してパッシブダブルスター方式で接続され、
前記複数の通信端末と前記局側装置との通信プロトコルの切換えを制御するための通信制御手段をさらに備え、
前記所定の期間は，前記通信制御手段により切換えられた通信プロトコルで定義された期間である、請求項３記載の局側装置。
【請求項８】
複数の通信端末と光ファイバを介してパッシブダブルスター方式で接続された局側装置であって、
前記複数の通信端末と前記局側装置との通信プロトコルの切換えを制御するための通信制御手段と、
受光した光のバースト信号を電気信号に変換して出力する受光手段と、リセット信号が与えられると前記受光手段をリセットするリセット手段を含む受光装置と、
前記複数の通信端末ごとに送信を許可した期間が終了したとき前記受光装置にリセット信号を与える制御手段とを備え、
前記送信を許可した期間は、前記通信制御手段により切換えられた通信プロトコルに従って決定される、局側装置。
【請求項９】
前記リセット手段は、前記受光手段が出力する電気信号からノイズを除去する、請求項３、４および８のいずれかに記載の局側装置。
【発明の詳細な説明】
【技術分野】
【０００１】
この発明は、受光装置および局側装置に関し、特に、連続する光のバースト信号を受光する受光装置および局側装置に関する。
【背景技術】
【０００２】
従来、光ネット-ワークでは光ファイバー等の光媒体を用いて、光信号を送受信する光通信が行われている。この光信号を受信するための受光装置は、通信媒体を介して送信された光信号を受光する。この際、受光装置が有する受光部は、受信した光を電気信号に変換する。
【０００３】
なお、以上本発明についての従来技術を、出願人の知得した一般的技術情報に基づいて説明したが、出願人の記憶する範囲において、出願前までに先行技術文献として開示すべき情報を出願人は有していない。
【発明の開示】
【発明が解決しようとする課題】
【０００４】
しかしながら、この受光装置には、光のバースト信号を受信する際、バースト信号受信後の消光状態で一定時間を経過するとノイズを出力する特性を有するものがある。このため、ノイズが出力されている間に、次の光のバースト信号が受光された場合には、その光のバースト信号を変換した電気信号にノイズが重畳されるため、次の光信号を検出することができなくなってしまう。特に、光のバースト信号が連続して受光される場合には、その影響が大きいといった問題がある。
【０００５】
この発明は上述した問題点を解決するためになされたもので、この発明の目的の１つは、連続する光のバースト信号を電気信号に確実に変換して出力することが可能な受光装置を提供することである。
【０００６】
この発明の他の目的は、連続する光のバースト信号を確実に検出することが可能な局側装置を提供することである。
【課題を解決するための手段】
【０００７】
上述した目的を達成するためにこの発明のある局面によれば、受光装置は、受光した光のバースト信号を電気信号に変換して出力するとともに、受光した光の強度に基づき光のバースト信号の終了を検出する受光手段と、受光手段により光のバースト信号の終了が検出されることに応じて受光手段をリセットするリセット手段とを備える。
【０００８】
この発明に従えば、受光した光の強度に基づき光のバースト信号の終了を検出すると受光手段が出力する電気信号からノイズを除去するために受光部がリセットされる。このため、次の光のバースト信号が変換されて出力される電気信号にノイズが重畳されるのを防止できる。その結果、連続する光のバースト信号を電気信号に確実に変換して出力することが可能な受光装置を提供することができる。
【０００９】
好ましくは、リセット手段は、受光手段が出力する電気信号からノイズを除去する。
【００１０】
この発明の他の局面によれば、局側装置は、受光した光のバースト信号を電気信号に変換して出力し、受光した光の強度に基づき光のバースト信号の開始を検出してバースト信号検知信号を出力する受光手段と、リセット信号が与えられると受光手段をリセットするリセット手段とを含む受光装置と、受光装置からバースト信号検知信号が受信されてから所定の期間経過後に受光装置にリセット信号を与える制御手段とを備える。
【００１１】
この発明に従えば、受光した光の強度に基づき光のバースト信号の開始を検出してから所定の時間経過後に、受光手段が出力する電気信号からノイズを除去するために受光手段がリセットされる。このため、光のバースト信号の開始を検出してから所定の時間経過後に受光される光のバースト信号が変換されて出力される電気信号にノイズが重畳されるのを防止できる。その結果、連続する光のバースト信号を確実に検出することが可能な局側装置を提供することができる。
【００１２】
この発明の他の局面によれば、局側装置は、受光した光のバースト信号を電気信号に変換して出力するとともに、受光した光の強度に基づき光のバースト信号の終了を検出してバースト信号検知信号を出力する受光手段と、リセット信号が与えられると受光手段をリセットするリセット手段とを含む受光装置と、受光装置からバースト信号検知信号が受信されると直ちに受光装置にリセット信号を与える制御手段とを備える。
【００１３】
この発明に従えば、受光した光の強度に基づき光のバースト信号の終了を検出すると受光部が出力する電気信号からノイズを除去するために受光手段がリセットされる。このため、次の光のバースト信号が変換されて出力される電気信号にノイズが重畳されるのを防止できる。その結果、連続する光のバースト信号を確実に検出することが可能な局側装置を提供することができる。
【００１４】
好ましくは、局側装置は、複数の通信端末と光ファイバを介してパッシブダブルスター方式で接続され、複数の通信端末と局側装置との通信プロトコルの切換えを制御するための通信制御手段をさらに備え、制御手段は、通信制御手段により所定の通信プロトコルに切換えたことが検出されることをさらに条件として、受光装置にリセット信号を与える。
【００１５】
この発明に従えば、局側装置は、複数の通信端末と光ファイバを介してパッシブダブルスター方式で接続され、複数の通信端末と局側装置とで所定の通信プロトコルで通信されていることがさらに条件とされる。このため、連続して光のバースト信号が受信される所定の通信プロトコルで通信されている場合に限って、ノイズを除去するために受光手段がリセットされる。
【００１６】
好ましくは、所定の通信プロトコルは、局側装置と複数の通信端末の少なくとも１つとの間の通信を確立する開局処理に用いられる通信プロトコルである。
【００１７】
この発明に従えば、局側装置と複数の通信端末の少なくとも１つとの間の通信を確立する開局処理に用いられる通信プロトコルで通信されている場合に、光のバースト信号の開始から所定の期間経過後、または、光のバースト信号の終了後直ちに受光手段がリセットされる。開局処理の通信プロトコルでは、複数の未登録の通信端末に共通の送信可能期間が割当てられるため、登録を要求するための光のバースト信号が連続して送信される可能性がある。開局処理において連続する光のバースト信号を確実に検出することができる。
【００１８】
好ましくは、局側装置は、複数の通信端末と光ファイバを介してパッシブダブルスター方式で接続され、複数の通信端末と局側装置との通信プロトコルの切換えを制御するための通信制御手段をさらに備え、所定の期間は，通信制御手段により切換えられた通信プロトコルで定義された期間である。
【００１９】
この発明に従えば、局側装置は、複数の通信端末と光ファイバを介してパッシブダブルスター方式で接続され、複数の通信端末と局側装置との通信に用いられる通信プロトコルで定義された期間が、光のバースト信号の開始から経過した後に受光手段が出力する電気信号からノイズを除去するために受光手段がリセットされる。通信プロトコルによって、複数の通信端末それぞれに許可される送信可能期間が定義されるので、その送信可能期間が経過した後に受光部がリセットされる。その結果、複数の通信端末から送信される光のバースト信号を確実に受信することができる。
【００２０】
この発明のさらに他の局面によれば、局側装置は、複数の通信端末と光ファイバを介してパッシブダブルスター方式で接続された局側装置であって、複数の通信端末と局側装置との通信プロトコルの切換えを制御するための通信制御手段と、受光した光のバースト信号を電気信号に変換して出力する受光手段と、リセット信号が与えられると受光手段をリセットするリセット手段を含む受光装置と、複数の通信端末ごとに送信を許可した期間が終了したとき受光装置にリセット信号を与える制御手段とを備え、送信を許可した期間は、通信制御手段により切換えられた通信プロトコルに従って決定される。
【００２１】
この発明に従えば、複数の通信端末と局側装置との通信プロトコルが切換えられ、切換えられた通信プロトコルに従って複数の通信端末ごとに送信を許可した期間が終了したとき受光手段が出力する電気信号からノイズを除去するために受光手段がリセットされる。このため、次に受光される光のバースト信号を変換した電気信号にノイズが重畳されるのを防止することができる。その結果、連続する光のバースト信号を確実に検出することが可能な局側装置を提供することができる。
【００２２】
好ましくは、リセット手段は、受光手段が出力する電気信号からノイズを除去する。
【発明を実施するための最良の形態】
【００２３】
以下、図面を参照しつつ本発明の実施の形態について説明する。以下の説明では、同一の部品には同一の符号を付してある。それらの名称および機能も同じである。したがってそれらについての詳細な説明は繰返さない。
【００２４】
＜第１の実施の形態＞
図１は、本発明の第１の実施の形態に係る通信システムの概略構成を示す図である。図１を参照して、第１の本実施の形態における通信システムは、局側装置１００と、複数の通信端末１０，１０Ａ，１０Ｂ，１０Ｃ，１０Ｄとを含む。各通信端末１０，１０Ａ〜１０Ｄは、それぞれがコンピュータ１１，１１Ａ，１１Ｂ，１１Ｃ，１１Ｄと、接続線２４，２４Ａ，２４Ｂ，２４Ｃ，２４Ｄで接続されている。なお、ここでは５台の通信端末１０，１０Ａ〜１０Ｄを局側装置１００に接続するネットワークを例に説明するが、通信端末はこれに限定されない。１台の局側装置１００に１台以上の通信端末が接続される形態のネットワークであればよい。また、ここでは、通信端末１０，１０Ａ〜１０Ｄと、コンピュータ１１，１１Ａ，１１Ｂ，１１Ｃ，１１Ｄとを、接続線２４，２４Ａ，２４Ｂ，２４Ｃ，２４Ｄで直接接続するようにしたが、通信端末１０，１０Ａ〜１０Ｄには、ローカルエリアネットワーク（ＬＡＮ）等のネットワークが接続されてもよく、そのネットワークにコンピュータ１１，１１Ａ，１１Ｂ，１１Ｃ，１１Ｄが接続されてもよい。
【００２５】
局側装置１００と複数の通信端末１０，１０Ａ〜１０Ｄとは、光ファイバで接続され、ネットワークを構成する。このようなネットワークの接続形態は、パッシブダブルスター（ＰＤＳ：Passive Double Star）方式という。
【００２６】
より具体的に説明すると、局側装置１００は、光ファイバ２１の一端と接続される。光ファイバ２１の他端は、光カプラ２３に接続される。光カプラ２３は、通信端末１０と光ファイバ２２で接続されている。光カプラ２３は、通信端末１０Ａ，１０Ｂ，１０Ｃ，１０Ｄとそれぞれ光ファイバ２２Ａ，２２Ｂ，２２Ｃ，２２Ｄで接続される。
【００２７】
光カプラ２３は、１つの光ファイバ２１から受信する光信号を、複数の光ファイバ２２，２２Ａ〜２２Ｄにそれぞれ出力する。また、複数の光ファイバ２２，２２Ａ〜２２Ｄそれぞれから受信する光信号は、光ファイバ２１に出力する。したがって、局側装置１００から出力される光信号は、光ファイバ２１を介して光カプラ２３で受信された後、すべての光ファイバ２２，２２Ａ〜２２Ｄに出力される。このため、局側装置１００から出力された光信号は、通信端末１０，１０Ａ〜１０Ｄのすべてで受信されることになる。
【００２８】
逆に、通信端末１０，１０Ａ〜１０Ｄそれぞれと光カプラ２３とは、それぞれ光ファイバ２２，２２Ａ〜２２Ｄで接続されるため、光カプラ２３と通信端末１０，１０Ａ〜１０Ｄとの間の光ファイバ２２，２２Ａ〜２２Ｄは、通信端末１０，１０Ａ〜１０Ｄそれぞれで占有されることになる。換言すれば、通信端末１０が出力する光信号は、光ファイバ２２だけを通り、光ファイバ２２Ａ，２２Ｂ，２２Ｃ，２２Ｄを通ることはない。
【００２９】
通信端末１０，１０Ａ〜１０Ｄのそれぞれから出力された光信号は、光カプラ２３でまとめられて光ファイバ２１に出力される。このため、光ファイバ２１においては、通信端末１０，１０Ａ〜１０Ｄから出力された光信号のすべてが伝送されることになる。この意味で、光ファイバ２１は、通信端末１０，１０Ａ〜１０Ｄで共有されているといえる。このため、局側装置１００と通信端末１０，１０Ａ〜１０Ｄとの通信においては、通信端末１０，１０Ａ〜１０Ｄのいずれか１台が局側装置１００と通信が可能である。複数の通信端末１０，１０Ａ〜１０Ｄのうち２台以上の通信端末が同時にパケット（光信号）を局側装置１００に出力した場合、光ファイバ２１上でパケットが衝突するため、局側装置１００ではそのパケットを受信することはできない。なお、１つの光ファイバでも、波長の異なる光を同時に送受信することは可能である。通信端末１０，１０Ａ〜１０Ｄから局側装置１００へのパケット送信を上り方向とし、その逆のパケットの送信を下り方向とすれば、上り方向と下り方向とで波長が異なっても良い。本実施の形態においては、上り方向に送信されるパケットが、同じ波長の光で送信される場合を前提にしている。
【００３０】
通信端末１０，１０Ａ〜１０Ｄのすべてがネットワークに接続される場合には、局側装置１００では、光ファイバ２１上でパケット衝突を回避するため、接続される通信端末１０，１０Ａ〜１０Ｄのすべてを登録している。そして、局側装置１００は、接続された通信端末１０，１０Ａ〜１０Ｄすべてに対して、それぞれがパケットを送信可能な期間を割当て、その割当てた期間を通信端末１０，１０Ａ〜１０Ｄそれぞれに送信している。このため、通信端末１０，１０Ａ〜１０Ｄは、局側装置により割当てられた期間にパケットを送信する。したがって、その期間には、他の通信端末がパケットを送信することはなく、光ファイバ２１上でパケットが衝突することなく、局側装置で受信される。
【００３１】
しかしながら、新たに通信端末が局側装置１００に接続される場合には、その新たに接続する通信端末は、局側装置１００に登録されていない。本実施の形態における通信システムでは、この新たに通信端末を局側装置に登録する処理を開局処理といい。その通信プロトコルについては後述する。
【００３２】
本実施の形態における通信システムにおいては、局側装置１００は、それが接続される上位のネットワークと通信端末１０，１０Ａ〜１０Ｄに接続されるコンピュータ１１，１１Ａ〜１１Ｄとの通信を中継する処理を実現する。このため、局側装置１００と通信端末１０，１０Ａ〜１０Ｄとの間では、パケットを送受信することにより通信する。そして、そのパケットの送信先を特定するために、局側装置１００および通信端末１０，１０Ａ〜１０Ｄに予め割当てられているＭＡＣ（媒体アクセス制御：Media Access Control）アドレスが用いられる。ＭＡＣアドレスとは、データリンク層の下位副層であるＭＡＣ層に付与されるアドレスである。ＭＡＣ層データ・フレームのヘッダー中で送信元とあて先を指定するために使われる。このＭＡＣアドレスを用いた通信は、たとえば、ＩＥＥＥ（Institute of Electrical and Electronics Engineers）８０２．３ａｈで規定される周知の方式を採用することができ、ここではその詳細な説明は繰返さない。
【００３３】
図２は、第１の実施の形態における局側装置の機能の概略を示す機能ブロック図である。図２を参照して、局側装置１００は、光を受光するトランシーバ受光部１１０（以下「ＰＭＤ１１０」という）と、ＰＭＤ１１０を制御するためのトランシーバ受信制御部１４０と、ＰＭＤ１１０が出力するシリアルの電気信号をパラレル信号に変換するデシリアライザ１２０と、１０ビットのパラレル信号を８ビットのパラレル信号に変換する１０Ｂ/８Ｂ変換（ＰＣＳ）１３０と、通信プロトコルを決定する通信制御部１５０とを含む。
【００３４】
受光装置１１０は、受光した光の強（１）または弱（０）の信号をシリアルの電気信号に変換してデシリアライザ１２０に出力する受光部１１１と、受光部１１１をリセットするためのリセット部１１２とを含む。受光装置１１０は、ＩＥＥＥ８０２．３におけるＰＭＤ（Physical Medium Dependent）のプロトコルレイヤに相当する。
【００３５】
受光部１１１は、受光した光のバースト信号の開始と終了とを検出して、バースト信号の受信が開始されたこと、または、バースト信号の受信が終了したことを示すシグナルディテクト信号をトランシーバ受信制御部１４０に出力する。受光部１１１は、光のバースト信号の受信終了後、消光状態で一定時間が経過するとノイズをデシリアライザ１２０に出力する。このため受光装置１１０は、リセット部１１２を有し、受光部１１１がノイズを発生しないようにリセットする。このリセット動作は、リセット部１１２にトランシーバ受信制御部１４０からリセット信号が入力されることにより行われる。受光部１１１は、光のバースト信号の受信終了後にリセット部１１２によりリセットされると、消光状態で一定時間が経過してもノイズを発生しない。リセット部１１２による受光部１１１のリセットは、たとえば、受光部１１１が出力するノイズ信号を除去する回路の起動であってもよいし、また、受光部１１１からノイズ信号が出力されないように受光部１１１を初期状態に復帰させる動作であってもよい。
【００３６】
デシリアライザ１２０は、受光装置１１０から転送されたシリアルデータをパラレルデータに変換する。ＩＥＥＥ８０２．３におけるＰＭＡ（Physical Medium Attachement）のプロトコルレイヤに相当する。
【００３７】
１０Ｂ／８Ｂ変換１３０は、デシリアライザ１２０から転送された１０ビットのパラレルデータを通信制御部１５０が理解できる８ビットのパラレルデータに変換する。ＩＥＥＥ８０２．３におけるＰＣＳ（Physical Coding Sublayer）のプロトコルレイヤに相当する。
【００３８】
通信制御部１５０は、これら物理レイヤの上位のプロトコルレイヤに相当し、通信プロトコルを決定する機能を有する。
【００３９】
トランシーバ受信制御部１４０は、受光装置１１０からシグナルディテクト信号が入力されると、それに応じたタイミングで受光装置１１０にリセット信号を出力する。
【００４０】
図３は、受光装置１１０に入力される光のバースト信号と出力される電気信号との一例を示す図である。図３では、光のバースト信号または電気信号を時系列で示している。図３（Ａ）は、受光装置１１０に入力される光のバースト信号を示す図である。ここでは、２つのバースト信号が入力される例を示している。以下説明のため先に入力されるバースト信号を第１のバースト信号といい、後に入力されるバースト信号を第２のバースト信号という。第１および第２のバースト信号の後には所定時間の光がオフの消光状態が存在する。時刻Ｔ１は第１のバースト信号が受光部１１１での受光が開始された時を示し、時刻Ｔ１’は第１のバースト信号が受光部１１１での受光が終了した時を示す。バースト信号は、その先頭と末尾に位置する特殊信号と、２つの特殊信号の間に位置するデータ信号を含む。なお、バースト信号の構成はこれに限られることなく、他の信号を組み合わせて構成されてもよい。バースト信号は、光の強（１）または弱（０）の組合せであればよい。
【００４１】
図３（Ｂ）は、受光部をリセットしない場合に受光部から出力される電気信号を示している。時刻（Ｔ１＋α）は受光部１１１が受光した第１のバースト信号を電気信号に変換して出力を開始する時刻を示し、時刻（Ｔ１’＋α）はその出力を終了する時刻を示す。時間αが受光部１１１での処理時間に相当する。したがって、受光部１１１は、第１のバースト信号を変換した電気信号を時刻（Ｔ１＋α）から時刻（Ｔ１’＋α）までに出力する。図３（Ｂ）では、特殊信号とデータ信号のデータの構成を示している。
【００４２】
受光部１１１は、第１のバースト信号を電気信号に変換して出力するとある所定の時間経過後にノイズ信号を含む電気信号をある期間出力する。図３（Ｂ）では、このノイズ信号が出力されている間に、第２のバースト信号が受光された場合を示している。受光部１１１で第２のバースト信号を電気信号に変換して出力すると、第２のバースト信号を変換した電気信号にノイズ信号が重畳されてしまう。この間、第２のバースト信号に含まれる特殊信号とデータ信号の一部が、デシリアライザ１２０で誤って変換されてしまうことになる。
【００４３】
図３（Ｃ）は、受光部をリセットした場合に受光部から出力される電気信号を示している。第１のバースト信号の受光を終了した後、第２のバースト信号を受光する前に受光部１１１をリセット部１１２でリセットした場合の電気信号を示している。第１のバースト信号を電気信号に変換して出力した後に受光部１１１をリセットすると、その後のノイズ信号の電気信号は出力されない。このため、第２のバースト信号を変換した電気信号にノイズ信号が重畳されることなく、デシリアライザ１２０に転送される。
【００４４】
この図から明らかなように、受光部１１１のリセットは、第１のバースト信号の受光を終了した後、第２のバースト信号を受光する前に行わなければならない。この受光部１１１をリセットするタイミングを定めるのには、バースト信号の受光を開始したことが検出された時を基準に定めるもの（以下「オン検出タイプ」という）と、バースト信号の受光を終了したことが検出された時を基準に定めるもの（以下「オフ検出タイプ」という）とがある。この２つのタイプのいずれを用いるかは、局側装置１００のユーザが予め定めトランシーバ受信制御部１４０が有するＲＯＭ（リードオンリーメモリ）等に記憶させておくようにしてもよいし、ディップスイッチなどの切換スイッチで切換えるようにしてもよい。オフ検出タイプの場合は、基準となる時の直後であればよい。オン検出タイプの場合は、基準となる時からバースト信号の受光が終了する時を予測する必要がある。通信プロトコルによっては、送信元が発信するバースト信号の時間的な長さが予め分かる場合がある。このバースト信号の時間的な長さが基準となる時から経過した時をリセットするタイミングとすればよい。光のバースト信号は、バースト信号の発信元が送信するフレーム長により定まるため、フレーム長が一定の場合に有効である。このフレーム長は、通信プロトコルにより定まるものである。フレーム長が可変長の場合には、フレーム長を特定できないため、オン検出タイプでのリセットはできない。しかし、フレーム長が可変長であっても、最大のフレーム長さが分かっているような場合には、その最大のフレーム長を送信するの必要な時間を求めておけばオン検出タイプによるリセットが可能となる。
【００４５】
図４は、受光部が受光する光のバースト信号とその受光の開始と終了のタイミングを示す図である。図を参照して、受光部１１１では、バースト信号の受光が時刻Ｔ１に開始され、時刻Ｔ１’で終了する。受光部１１１で受光するバースト信号の受光レベルは、消光レベルから定常レベルに達するまでに一定時間かかる。また、定常レベルから消光レベルに達するまでにまた別の一定時間かかる。受光部１１１では、バースト信号の受光レベルを予め定めたしきい値と比較することにより、バースト信号の受光の開始時を検出する（以下「オン検出」という）。また、受光部１１１では、バースト信号の受光の終了時とを検出する（以下「オフ検出」という）。即ち、受光部１１１は、受光レベルがしきい値を超えた（オン検出した）ときに、バースト信号の受光を開始したと判断してバースト信号の受光が開始されたことを示すシグナルディテクト信号（バースト信号検知信号）を出力する。また、受光部１１１は、受光レベルがしきい値を下回った（オフ検出した）ときに、バースト信号の受光を終了したと判断してバースト信号の受光が終了したことを示すシグナルディテクト信号（バースト信号検知信号）を出力する。
【００４６】
図５は、本実施の形態におけるトランシーバ受信制御部１４０で実行されるリセット処理の流れを示すフローチャートである。図５（Ａ）は、オン検出タイプのリセット処理の流れを示す、図５（Ａ）を参照して、まず、シグナルディテクト信号が検出されたか否かが判断される（ステップＳ０１）。ここで、検出されるシグナルディテクト信号は、受光部１１１がオン検出した時に出力するシグナルディテクト信号である。シグナルディテクト信号が検出された場合にはステップＳ０２へ進み、検出されない場合には待機状態となる（ステップＳ０１）。
【００４７】
ステップＳ０２では、所定の時間待機状態となる。所定の時間は上述したように光のバースト信号の時間的な長さよりも長い時間である。この所定の時間は、通信プロトコルによって定まる期間であるため、通信プロトコルによって予めＲＯＭ等に記憶しておくようにしてもよいし、通信制御部１５０から入力されるようにしてもよい。そして、所定の時間が経過するとステップＳ０３に進む。ステップＳ０３では、受光部１１１にリセット信号を出力する。リセット信号が入力された受光部１１１では、ノイズを含まない電気信号が出力される。このため、次に光のバースト信号を受光して変換した電気信号にノイズが含まれるのを防止することができる。
【００４８】
図５（Ｂ）は、オフ検出タイプのリセット処理の流れを示すフローチャートである。図５（Ｂ）を参照して、まず、シグナルディテクト信号が検出されたか否かが判断される（ステップＳ０１）。ここで、検出されるシグナルディテクト信号は、受光部１１１がオフ検出した時に出力するシグナルディテクト信号である。シグナルディテクト信号が検出された場合にはステップＳ０３へ進み、検出されない場合には待機状態となる（ステップＳ０１）。
【００４９】
次のステップＳ０３では、受光部１１１にリセット信号を出力する。すなわち、オン検出タイプのリセット処理と異なり、オフ検出のシグナルディテクト信号が検出されてから直ちにリセット信号が出力される。リセット信号が入力された受光部１１１では、ノイズを含まない電気信号が出力される。このため、次に光のバースト信号を受光して変換した電気信号にノイズが含まれるのを防止することができる。
【００５０】
このように、オフ検出タイプのリセット処理は、オフ検出後直ちに受光部１１１がリセットされるので、通信プロトコルに関係なく適用することができる。
【００５１】
なお、第１の実施の形態における局側装置１００では、受光装置１１０とトランシーバ受信制御部１４０とを別体のものとして説明したが、トランシーバ受信制御部１４０を組み込んだトランシーバとすることができる。
【００５２】
＜第２の実施の形態＞
図６は、第２の実施の形態における局側装置の機能の概略を示す機能ブロック図である。図６を参照して、第２の局側装置１００Ａは、第１の実施の形態における局側装置１００と異なるところは、通信制御部１５０からディスカバリ期間信号が出力される点である。その他の構成は第１の実施の形態における局側装置１００と同様であるので、ここでは説明を繰り返さない。
【００５３】
通信制御部１５０は、通信プロトコルを決定する。そして、通信プロトコルが、開局処理に用いられる通信プロトコルである場合に、ディスカバリ期間信号を開局処理が実行されている間トランシーバ受信制御部１４０に出力する。なお、開局処理の開始時に開始信号を、開局処理の終了時に終了信号を出力するようにしてもよい。
【００５４】
トランシーバ受信制御部１４０は、通信制御部１５０から入力されるディスカバリ期間信号が入力されているときと、入力されていないときとで、リセット処理のタイプを切換える。
【００５５】
開局処理とは、登録されていない通信端末を局側装置１００Ａに登録するための処理である。図７は、本実施の形態における通信システムで実行される開局処理手順を示す図である。図７では、局側装置１００Ａと通信端末１０との間で実行される開局処理手順を示している。まず、局側装置１００Ａからは、定期的に通信端末１０に対してパケットの送出、ここでは開局要求パケットの送出を許可するディスカバリーゲートパケットが出力される。
【００５６】
ディスカバリーゲートパケットには、局側装置１００ＡのＭＡＣアドレスと、後述する開局要求パケットを送出してもよい時間帯の情報を含む。また、ディスカバリーゲートパケットは、ブロードキャストで出力されるため、通信端末１０，１０Ａ〜１０Ｄのすべてで受信される。通信端末１０では、ディスカバリーゲートパケットを受信すると、そのディスカバリーゲートパケットに含まれる時間帯に開局要求パケットを局側装置１００Ａに対して出力する。
【００５７】
開局要求パケットには、通信端末１０のＭＡＣアドレスおよびその他所定の情報が含まれる。
【００５８】
局側装置１００Ａでは、通信端末１０より受信した開局要求パケットの通信端末１０のＭＡＣアドレスを取出し、その通信端末１０と通信の接続を確立するか否かを判断する。  
【００５９】
局側装置１００Ａで開局してもよいと判断した場合には、通信端末１０に対して許可パケットを送信し、開局しないと判断した場合には不許可パケットを送信する。許可パケットまたは不許可パケットには、通信端末１０のＭＡＣアドレスが宛先の情報として含まれる。また、許可パケットには、局側装置１００Ａと通信端末１０との間で論理的に通信を確立するための論理リンク識別番号（Logical Link ID）が含まれる。このＬＬＩＤを用いて、通信端末１０と局側装置１００Ａとの間の論理的なネットワーク接続が確立されることになる。
【００６０】
通信端末１０では、許可パケットを受信した場合には、許可確認パケットを局側装置１００Ａに出力する。局側装置１００Ａで許可確認パケットが受信された段階で、局側装置１００Ａでは通信端末１０との間で通信を確立する処理が実行され、開局される。
【００６１】
局側装置１００Ａと通信端末１０との間の開局処理手順は、概略上述のとおりである。この開局処理手順によって、局側装置１００Ａに通信端末１０のＭＡＣアドレスを登録する登録処理および、局側装置１００Ａが通信端末１０との間の通信を確立する処理とが実行される。
【００６２】
この開局処理手順が、通信プロトコルの１つである。この開局処理手順において、通信端末１０から局側装置１００Ａに送信される開局要求パケットが、光のバースト信号として送信される。開局要求パケットのパケット長は予め定められている。したがって、開局要求バケットの光のバースト信号の開始から終了までの時間は、予め分かっているため、トランシーバ受信制御部１４０のＲＡＭなどの記憶装置に予め登録しておいてもよい。
【００６３】
この開局処理により、通信端末１０が局側装置１００Ａに登録されると、局側装置１００Ａから通信端末１０に対して、通信端末１０からパケットを送信することを許可する通信可能期間が送信される。通信端末１０では、この通信可能期間で定まる期間にパケットを送信する。この通信可能期間内であれば、パケットの長さは特に制限されることはなく、通信端末１０側で決定することができる。
【００６４】
図８は、局側装置に登録された通信端末から受信されるパケットを示す図である。図８では、上述した開局処理により局側装置１００Ａに３台の通信端末１０，１０Ａ，１０Ｂが登録された場合に、各通信端末１０，１０Ａ，１０Ｂから送信されるパケットＯＮＵ＃１、ＯＮＵ＃２，ＯＮＵ＃３の時間的な関係を示している。局側装置１００Ａから通信端末１０，１０Ａ，１０Ｂそれぞれに、送信可能な期間が送信される。具体的には、通信端末１０には、時刻ｔ１〜ｔ１’が送信可能期間として送信され、通信端末１０Ａには、時刻ｔ２〜ｔ２’が送信可能期間として送信され、通信端末１０Ｂには、時刻ｔ３〜ｔ３’が送信可能期間として送信される。通信端末１０，１０Ａ，１０Ｂからは、その指定された送信可能期間にパケットＯＮＵ＃１、ＯＮＵ＃２，ＯＮＵ＃３を送信する。このため、パケットＯＮＵ＃１、ＯＮＵ＃２，ＯＮＵ＃３は、時間的に重なることがない。
【００６５】
局側装置１００Ａでは、パケットＯＮＵ＃１が受光されて時刻Ｔ１から時刻Ｔ１’までに電気信号が出力される。また、パケットＯＮＵ＃２が受光されて時刻Ｔ２から時刻Ｔ２’までに電気信号が出力され、パケットＯＮＵ＃３が受光されて時刻Ｔ３から時刻Ｔ３’までに電気信号が出力される。時刻Ｔ１から所定の期間経過後にノイズが発生して、パケットＯＮＵ＃２の電気信号にノイズが重畳される場合がある。
【００６６】
図９は、第２の実施の形態における局側装置１００Ａで実行されるリセット処理の流れを示すフローチャートである。ここでは、オフ検出タイプのリセット処理を実行する場合について説明する。図９を参照して、まず、現在通信に用いられている通信プロトコルが、開局処理で用いられている通信プロトコルか否かが判断される（ステップＳ１１）。真の場合にはステップＳ１２へ進み、偽の場合にはステップＳ１４に進む。ステップＳ１１の判断は、通信制御部１５０からディスカバリ期間信号が入力されているか否かにより判断される。
【００６７】
ステップＳ１２では、シグナルディテクト信号が検出されたか否かが判断される。ここで、検出されるシグナルディテクト信号は、受光部１１１がオフ検出した時に出力するシグナルディテクト信号である。シグナルディテクト信号が検出された場合にはステップＳ１３へ進み、検出されない場合には待機状態となる（ステップＳ１２でＮＯ）。
【００６８】
ステップＳ１３では、受光部１１１にリセット信号を出力する。リセット信号が入力された受光部１１１では、その後ノイズを含まない電気信号が出力される。このため、次に光のバースト信号を受光して変換した電気信号にノイズが含まれるのを防止することができる。
【００６９】
一方、ステップＳ１１で通信プロトコルが開局処理で用いられるものでないと判断した場合には、通信端末１０の送信可能期間が終了したか否かが判断される（ステップＳ１４）。終了したと判断した場合にはリセット信号を受光部１１１に出力する（ステップＳ１５）。リセット信号が入力された受光部１１１では、その後ノイズを含まない電気信号が出力される。これにより、送信可能期間に通信端末１０がパケットを送信した場合に、受光部１１１でそのパケットの光のバースト信号が受光されるが、送信可能期間の終了後に受光部１１１がリセットされるため、その後光のバースト信号を受光して変換した電気信号にノイズが含まれるのを防止することができる。
【００７０】
なお、図９では、オフ検出のリセット処理について説明したが、上述したように開局処理においては、開局要求パケットのパケット長が予め分かっているので、オン検出のリセット処理を用いることができる。この場合、ステップＳ１２で検出されるシグナルディテクト信号は、受光部１１１がオン検出した時に出力するシグナルディテクト信号である。また、ステップＳ１２とステップＳ１３との間に、開局要求パケットの光のバースト信号を送信するのに必要な時間を超える時間だけ待機する処理を追加すればよい。
【００７１】
以上説明したように、本実施の形態における局側装置１００Ａは、トランシーバ受信制御部１４０が、受光部１１１でオン検出されてから所定期間経過後に、受光部１１１にリセット信号を出力するので、受光部１１１がオン検出してから所定の時間経過後に受光部１１１で受光される光のバースト信号が変換されて出力される電気信号にノイズが重畳されるのを防止できる。所定の時間は、光のバースト信号の時間的な長さである。
【００７２】
また、局側装置１００Ａは、トランシーバ受信制御部１４０が、受光部１１１でオフ検出されると受光部１１１にリセット信号を出力するので、受光部１１１がオフ検出した後に受光部１１１で受光される光のバースト信号が変換されて出力される電気信号にノイズが重畳されるのを防止できる。
【００７３】
さらに、局側装置１００Ａが開局処理に用いる通信プロトコルで通信している場合に、リセット処理が行われる。開局処理において、通信端末から開局要求パケットは、局側装置１００Ａから指定した期間に、複数の通信端末から連続して送信される場合がある。このため、この開局要求パケットを受信する期間に、リセット処理を実行するので、連続して光のバースト信号を確実に検出することができる。
さらに、局側装置１００Ａは、複数の通信端末と局側装置との間で通信が確立された後の通信に用いられる通信プロトコルでは、局側装置１００Ａから通信端末に送信可能期間を送信する。この送信可能期間は通信プロトコルで定義された期間である。局側装置１００Ａでは、送信可能期間が終了するとトランシーバ受信制御部１４０が受光部１１１にリセット信号を出力するので、その後に受光される光のバースト信号を確実に検出することができる。
【００７４】
さらに、第２の実施の形態における局側装置１００Ａは、使用する通信プロトコルを開局処理中と論理リンク確立後とで切換える。論理リンク確立後は、論理リンク確立後に用いられる通信プロトコルに従って通信端末ごとに与えられる送信許可期間が終了したとき、トランシーバ受信制御部１４０が受光部１１１にリセット信号を出力する。このため、受光部１１１でリセット後に受光される光のバースト信号が変換された電気信号にノイズが重畳されるのを防止することができる。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７６】
【図１】本発明の第１の実施の形態に係る通信システムの概略構成を示す図である。
【図２】第１の実施の形態における局側装置の機能の概略を示す機能ブロック図である。
【図３】受光装置に入力される光のバースト信号と出力される電気信号との一例を示す図である。
【図４】受光部が受光する光のバースト信号とその受光の開始と終了のタイミングを示す図である。
【図５】本実施の形態におけるトランシーバ受信制御部１４０で実行されるリセット処理の流れを示すフローチャートである。
【図６】第２の実施の形態における局側装置の機能の概略を示す機能ブロック図である。
【図７】本実施の形態における通信システムで実行される開局処理手順を示す図である。
【図８】局側装置に登録された通信端末から受信されるパケットを示す図である。
【図９】第２の実施の形態における局側装置の機能の概略を示す機能ブロック図である。
【符号の説明】
【００７７】
１０，１０Ａ，１０Ｂ，１０Ｃ，１０Ｄ  通信端末、１１，１１Ａ，１１Ｂ，１１Ｃ，１１Ｄ  コンピュータ、２１，２２，２２Ａ，２２Ｂ，２２Ｃ，２２Ｄ  光ファイバ、２３  光カプラ、２４，２４Ａ，２４Ｂ，２４Ｃ，２４Ｄ  接続線、１００，１００Ａ  局側装置、１１０  受光装置、１１１  受光部、１１２  リセット部、１２０  デシリアライザ、１３０  １０Ｂ／８Ｂ変換、１４０  トランシーバ受信制御部。
【図１】
2005236414.tif 000003
【図２】
2005236414.tif 000004
【図３】
2005236414.tif 000005
【図４】
2005236414.tif 000006
【図５】
2005236414.tif 000007
【図６】
2005236414.tif 000008
【図７】
2005236414.tif 000009
【図８】
2005236414.tif 000010
【図９】
2005236414.tif 000011